(57)【要約】      （修正有）【課題】御朱印帳が劣化することなく、表紙が視認可能な状態で保管することができる御朱印帳ケースを提供する。【解決手段】御朱印帳を収納しうる大きさに形成され、開口部１１を有する収納部１２と、開口部を開閉可能に被覆しうる蓋部１３とを有している。収納部は、御朱印帳の裏表紙が当接する長方形状の第一の大型側板部１４と、第一の大型側板部の四辺部に接合され、御朱印帳の厚さ方向側面部に当接する四つの側板部１６〜１９とを備え、蓋部は、第一の大型側板部と同一の大きさに形成され、御朱印帳の表表紙に当接する第二の大型側板部２０により形成されている。また蓋部は、開口部の一端部においてヒンジ部２２を介して収納部と回動可能に接合されている。【選択図】図３
0003202073.tif 000002
【実用新案登録請求の範囲】
【請求項１】
御朱印帳を収納しうる大きさに形成され、開口部を有する収納部と、前記開口部を開閉可能に被覆しうる蓋部とを有することを特徴とする御朱印帳ケース。
【請求項２】
前記収納部は、前記御朱印帳の裏表紙が当接する長方形状の第一の大型側板部と、前記第一の大型側板部の四辺部に接合され、前記御朱印帳の厚さ方向側面部に当接する四つの側板部とを備え、前記蓋部は、前記第一の大型側板部と同一の大きさに形成され、前記御朱印帳の表表紙に当接する第二の大型側板部により形成されていることを特徴とする請求項１記載の御朱印帳ケース。
【請求項３】
前記蓋部は、前記開口部の一端部においてヒンジ部を介して前記収納部と回動可能に接合されていることを特徴とする請求項２記載の御朱印帳ケース。
【請求項４】
前記開口部の辺縁部には、前記開口部を前記蓋部で閉止した場合に前記収納部を密閉しうるパッキン部が設けられていることを特徴とする請求項３記載の御朱印帳ケース。
【請求項５】
半透明な合成樹脂製であることを特徴とする請求項１記載の御朱印帳ケース。
【考案の詳細な説明】
【技術分野】
【０００１】
本考案は、御朱印帳・納経帳を収納するためのケースに関するものである。
【背景技術】
【０００２】
従来より、お寺への参拝者が写経、読経をした後に、お寺に写経を納めた証として、文字又は印等で構成される御朱印というものを記してもらうという習慣がある。御朱印は、一つ一つ手作業で書かれることから、単に記念としてだけでなく、そのお寺の御本尊の分身とされ、大切にされるものである。御朱印はやがて神社にも広がり、今では寺社を参拝した際に記してもらうことができるようになっている。
【０００３】
御朱印は寺社ごとに異なった文字、印等で構成されていることから、寺社を巡った記録として、御朱印を集めるということが多く行われている。この際、参拝者は御朱印帳と呼ばれる専用の手帳に御朱印を集めていくことが一般的である。御朱印帳は、納経帳、御宝印帳、又は集印帳とも呼ばれ、一例として、和紙を折りたたんで蛇腹状にしたものに表紙が設けられているものがある。
【０００４】
御朱印帳はその美的外観も重視されており、表紙に刺繍による装飾部が設けられていることが多い。従って、御朱印帳を本棚等に直接収納した場合にあっては、装飾部が他の書籍等と擦れてしまい、刺繍が傷付いてしまうという事態を生じていた。また、刺繍による装飾部が見える状態で保管することも困難であった。
また、御朱印帳は、御朱印の墨が乾きやすいよう和紙で構成されていることから、劣化防止のため温度や湿度等に注意して保管する必要があった。
【０００５】
以上の観点から、御朱印帳が劣化することなく、表紙の装飾部を活かした状態で大切に保管したいという要請が多かった。本件実用新案登録出願人はこのような観点から先行技術調査を行った結果、書籍を保護するためのケースを発見した。
例えば、特許文献１には、移動時の書籍類収納用の入れ物としての透明なプラスチックのケースが開示されている。また、特許文献２には、プラスチック板を帯状に折り曲げて図書のカバーケースとしたプラスチックブックケースが開示されている。また、特許文献３には、開口部を有する透明合成樹脂製の筐体の背壁にこれと一体的な開閉蓋を連設して該開閉蓋の上下両縁内側に設けた係止部を筐体の天板及び底板の端部に係止するようにしたブックケースが開示されている。
【０００６】
しかし、特許文献１に開示された技術にあっては、書籍を完全に密封できるものではなく、前記課題を解消することはできない。
また、特許文献２及び３に開示された技術にあっては、ケースの一端部が開口したままの状態で保管するため、前記課題を解消することはできない。
またさらに、特許文献１−３にあっては、御朱印帳を展示した状態で保管するという技術ではなかった。
【特許文献１】実開平６−３６８７３号公報
【特許文献２】実開昭６０−１４１２６７号公報
【特許文献３】実公昭３８−２３９１７号公報
【考案の開示】
【考案が解決しようとする課題】
【０００７】
本考案は、以上のような従来からの不具合を解消するためのものであって、その課題は、御朱印帳が劣化することなく、表紙が視認可能な状態で保管することができる御朱印帳ケースを提供することにある。
【課題を解決するための手段】
【０００８】
前記課題を解決するために、請求項１に記載の考案にあっては、御朱印帳を収納しうる大きさに形成され、開口部を有する収納部と、前記開口部を開閉可能に被覆しうる蓋部とを有することを特徴とする。
【０００９】
従って、御朱印帳を前記開口部から前記収納部に挿入し、前記開口部を前記蓋部によって被覆した場合には、前記御朱印帳が前記収納部と前記蓋部とにより被覆された状態で収納される。
【００１０】
請求項２に記載の考案にあっては、前記収納部は、前記御朱印帳の裏表紙が当接する長方形状の第一の大型側板部と、前記第一の大型側板部の四辺部に接合され、前記御朱印帳の厚さ方向側面部に当接する四つの側板部とを備え、前記蓋部は、前記第一の大型側板部と同一の大きさに形成され、前記御朱印帳の表表紙に当接する第二の大型側板部により形成されていることを特徴とする。
【００１１】
従って、御朱印帳を前記収納部に収納した場合には、前記御朱印帳の厚さ方向側面部が前記四つの側板部に、前記御朱印帳の裏表紙が前記第一の大型側板部に、前記御朱印帳の表表紙が前記第二の大型側板部に、夫々、当接する。
【００１２】
請求項３に記載の考案にあっては、前記蓋部は、前記開口部の一端部においてヒンジ部を介して前記収納部と回動可能に接合されていることを特徴とする。
【００１３】
従って、前記蓋部は前記開口部の一端部に設けられたヒンジ部を介して回動する。
【００１４】
請求項４に記載の考案にあっては、前記開口部の辺縁部には、前記開口部を前記蓋部で閉止した場合に前記収納部を密閉しうるパッキン部が設けられていることを特徴とする。
【００１５】
従って、前記開口部を前記蓋部で閉止した場合には、前記パッキン部により前記収納部が密閉される。
【００１６】
請求項５に記載の考案にあっては、半透明な合成樹脂製であることを特徴とする。
【考案の効果】
【００１７】
請求項１及び２に記載の御朱印帳ケースにあっては、御朱印帳を前記開口部から前記収納部に挿入し、前記開口部を前記蓋部によって被覆した場合には、前記御朱印帳が前記収納部と前記蓋部とにより被覆された状態で収納されるので、前記御朱印帳の表紙に設けられた装飾部を傷付けてしまうといった事態を防止することができる。
特に、御朱印帳の装飾部は刺繍によって構成されている場合が多いので、御朱印帳を本棚等に直接収納した場合にあっては、装飾部が他の書籍等と擦れてしまい、刺繍が傷付いてしまうという事態を生じていたのに対して、請求項１及び２に記載の御朱印帳ケースにあっては、前記のような事態を防止することができる。
【００１８】
またさらに、請求項２に記載の御朱印帳ケースにあっては、御朱印帳を前記収納部に収納した場合には、前記御朱印帳の厚さ方向側面部が前記四つの側板部に、前記御朱印帳の裏表紙が前記第一の大型側板部に、前記御朱印帳の表表紙が前記第二の大型側板部に、夫々、当接するので、前記御朱印帳ケースの収納部に収納された御朱印帳を確実に保持することができ、また、前記収納部に収納された御朱印帳が動くことにより、前記御朱印帳の表紙に設けられた装飾部を傷付けてしまうといった事態を防止することができる。
【００１９】
請求項３に記載の御朱印帳ケースにあっては、前記蓋部は前記開口部の一端部に設けられたヒンジ部を介して回動するので、前記蓋部をスムーズに開閉することができる。
【００２０】
請求項４に記載の御朱印帳ケースにあっては、前記開口部を前記蓋部で閉止した場合には、前記パッキン部により前記収納部が密閉されるので、前記御朱印帳ケース内の温度や湿度を一定に保った状態で保管することができ、その結果、和紙で構成された御朱印帳の劣化を防止することができる。
また、請求項４に記載の御朱印帳ケースにあっては、御朱印帳が密閉された状態で収納されるので、前記御朱印帳ケース自体に水等がかかった場合であっても、御朱印帳ケース内に水等が侵入して御朱印帳を汚損するといった事態を防止することができる。
【００２１】
請求項５に記載の御朱印帳ケースにあっては、半透明な合成樹脂製であるので、紫外線の照射による御朱印帳の表紙の劣化を防止することができると共に、刺繍による装飾部が視認可能な状態で保管することができる。
【図面の簡単な説明】
【００２２】
【図１】図１は、本考案に係る御朱印帳ケースの一実施の形態において、御朱印帳を収納した状態を示す正面側斜視図である。
【図２】図２は、本考案に係る御朱印帳ケースの一実施の形態において、御朱印帳を収納した状態を示す背面側斜視図である。
【図３】図３は、本考案に係る御朱印帳ケースの一実施の形態において、蓋部を開放した状態を示す正面側斜視図である。
【図４】図４は、本考案に係る御朱印帳ケースの一実施の形態において、スタンドを取り付けた状態を示す側面側斜視図である。
【考案を実施するための最良の形態】
【００２３】
以下、添付図面に示す実施の形態に基づき、本考案を詳細に説明する。
図１〜図３に示すように、本考案の一実施の形態に係る御朱印帳ケース１０は、剛性を有する半透明な合成樹脂製であって、御朱印帳５０を収納しうる大きさに形成され、開口部１１を有する収納部１２と、開口部１１を開閉可能に被覆しうる蓋部１３とを有している。
また、図１〜図４に示すように、本実施の形態に係る収納部１２は、御朱印帳５０の裏表紙５１が当接する長方形状の第一の大型側板部１４と、第一の大型側板部１４の四辺部１５、１５・・・に接合され、御朱印帳５０の厚さ方向側面部５２、５２・・・に当接する側板部１６、１７、１８、１９とを備え、蓋部１３は、第一の大型側板部１４と同一の大きさに形成され、御朱印帳５０の表表紙５３に当接する第二の大型側板部２０により形成されている。
【００２４】
また、図１及び図３に示すように、本実施の形態に係る蓋部１３は、開口部１１の一端部２１の長さ方向に沿って、所定間隔離間して２箇所設けられたヒンジ部２２、２２を介して収納部１２と回動可能に接合されている。
また、図３に示すように、本実施の形態に係る開口部１１の辺縁部２３、２３・・・には、開口部１１を蓋部１３で閉止した場合に収納部１２を密閉しうるパッキン部２４が設けられている。
【００２５】
本実施の形態に係る御朱印帳ケース１０の構成について、添付図面を用いてより詳細に説明する。
図１及び図３に示すように、本実施の形態に係るヒンジ部２２は、円柱状に形成された軸部２５と、筒状に形成され、軸部２５を回動可能に軸支しうる軸受部２６、２６、２７、２７と、軸受部２６、２６に連設され、軸受部２６、２６を蓋部１３に固定しうる平面長方形状の固定基部２８と、軸受部２７、２７に連設され、軸受部２７、２７を側板部１６に固定しうる平面長方形状の固定基部２９とにより構成されている。
また、図１及び図３に示すように、本実施の形態に係る軸受部２６、２６、２７、２７は、夫々、軸方向に沿って所定間隔離間して設けられ、本実施の形態に係る軸受部２６と軸受部２７とは、夫々、軸方向に沿って互いに隣接して設けられている。
【００２６】
図３に示すように、本実施の形態に係るパッキン部２４は、全体が柔軟性を有する合成樹脂により、開口部１１の辺縁部２３、２３・・・と略同一形状に形成され、開口部１１の辺縁部２３、２３・・・に取り付けられている。
また、図４に示すように、本実施の形態に係る第一の大型側板部１４の背面側中央部には、全体略直方体形状の脚部３０が着脱可能に取り付けられている。
【００２７】
以下、本実施の形態に係る御朱印帳ケース１０の作用について説明する。
図１〜図３に示すように、本実施の形態に係る御朱印帳ケース１０を使用する場合には、御朱印帳５０を開口部１１から収納部１２に挿入し、開口部１１を蓋部１３によって被覆する。
この際、本実施の形態に係る御朱印帳ケース１０にあっては、御朱印帳５０が収納部１２と蓋部１３とにより被覆された状態で収納されるので、従来のように御朱印帳５０の裏表紙５１及び表表紙５３に設けられた装飾部５４を傷付けてしまうといった事態を防止することができる。
特に、御朱印帳５０の装飾部５４が刺繍によって構成されている場合において、御朱印帳５０を本棚等に直接収納した場合にあっては、装飾部５４が他の書籍等と擦れてしまい、刺繍が傷付いてしまうという事態を生じていたのに対して、本実施の形態に係る御朱印帳ケース１０にあっては、前記のような事態を防止することができる。
【００２８】
またさらに、図１及び図２に示すように、本実施の形態に係る御朱印帳ケース１０にあっては、御朱印帳５０を収納部１２に収納した場合には、御朱印帳５０の厚さ方向側面部が側板部１６、１７、１８、１９に、御朱印帳５０の裏表紙５１が第一の大型側板部１４に、御朱印帳５０の表表紙５３が第二の大型側板部２０に、夫々、当接するので、収納部１２に収納された御朱印帳５０を確実に保持することができる。
また、収納部１２に収納された御朱印帳５０が御朱印帳ケース１０内で動くことにより、御朱印帳５０の裏表紙５１及び表表紙５３に設けられた装飾部５４を傷付けてしまうといった事態を防止することができる。
【００２９】
また、図１及び図３に示すように、本実施の形態に係る御朱印帳ケース１０にあっては、蓋部１３はヒンジ部２２、２２を介して回動するので、蓋部１３をスムーズに開閉することができる。
【００３０】
また、図３に示すように、本実施の形態に係る御朱印帳ケース１０にあっては、開口部１１を蓋部１３で閉止した場合には、柔軟性を有する合成樹脂製のパッキン部２４が蓋部１３と開口部１１の辺縁部２３、２３・・・との間で圧接される。その結果、蓋部１３と開口部１１とがパッキン部２４を介して密着し、収納部１２が密閉される。
従って、本実施の形態に係る御朱印帳ケース１０にあっては、御朱印帳ケース１０内の温度や湿度を一定に保った状態で保管することができ、その結果、和紙で構成された御朱印帳５０の劣化を防止することができる。
また、本実施の形態に係る御朱印帳ケース１０にあっては、御朱印帳５０が密閉された状態で収納されるので、御朱印帳ケース１０自体に水等がかかった場合であっても、御朱印帳ケース１０内に水等が侵入して御朱印帳５０を汚損するといった事態を防止することができる。
【００３１】
またさらに、図１及び図３に示すように、本実施の形態に係る御朱印帳ケース１０にあっては、蓋部１３がヒンジ部２２、２２を介して回動するように構成されているので、蓋部１３を回動させることによって蓋部１３を開口部１１の辺縁部２３、２３・・・に確実に合わせ、開口部１１を閉止させることができる。その結果、収納部１２をパッキン部２４によってより確実に密閉することができる。
【００３２】
また、本実施の形態に係る御朱印帳ケース１０にあっては、全体が半透明な合成樹脂製であるので、紫外線の照射による御朱印帳５０の表表紙５３及び裏表紙５１の劣化を防止することができると共に、刺繍による装飾部５４が視認可能な状態で保管することができる。
【００３３】
また、図４に示すように、本実施の形態に係る第一の大型側板部１４の背面側中央部には、全体略直方体形状の脚部３０が着脱可能に取り付けられているので、御朱印帳ケース１０を長さ方向に立てた状態で支持することができ、また、脚部３０を取り外すことによって、御朱印帳ケース１０を本棚等へ収納することができる。
【００３４】
本実施の形態に係る御朱印帳ケース１０にあっては、脚部が設けられている場合を例に説明したが、前記構成に限定されない。
また、半透明な合成樹脂により構成されている場合を例に説明したが、前記構成に限定されず、御朱印帳を視認可能な状態で収納しうるよう、透明な合成樹脂で構成することもできる。
【産業上の利用可能性】
【００３５】
本考案は、御朱印帳を収納する御朱印帳ケースに広く適用可能であり、産業上利用可能性を有している。
【符号の説明】
【００３６】
１０：御朱印帳ケース
１１：開口部
１２：収納部
１３：蓋部
１４：第一の大型側板部
１５：四辺部
１６、１７、１８、１９：側板部
２０：第二の大型側板部
２１：一端部
２２：ヒンジ部
２３：辺縁部
２４：パッキン部
２５：軸部
２６、２７：軸受部
２８、２９：固定基部
３０：脚部
５０：御朱印帳
５１：裏表紙
５２：厚さ方向側面部
５３：表表紙
５４：装飾部
【図１】
0003202073.tif 000003
【図２】
0003202073.tif 000004
【図３】
0003202073.tif 000005
【図４】
0003202073.tif 000006